(57)【要約】【課題】複数の通信レートをサポートする無線ＬＡＮを利用した位置検出システムにおいて所要基地局台数を減らし、システム構築コストを削減することができる。【解決手段】無線局において送信時に送信信号を判定し、通常のユーザデータである場合には、無線通信の高通信スループットが得られる最適な送信パラメータを設定して上記信号を送信し、位置検出用信号である場合には、到達距離が長くなる送信パラメータを設定し上記信号を送信する。到達距離が長くなる送信パラメータとしては、低い通信レートまたは長いプリアンブル長を用いる。【選択図】図５
2006140752.tif 000002
【特許請求の範囲】
【請求項１】
無線端末の位置検出を行う無線位置検出システムであって、
無線基地局と無線端末とは、位置検出用の信号の送受信を行い、
前記無線基地局と前記無線端末との少なくともいずれかは、前記位置検出用の信号とそれ以外の信号とを異なる送信パラメータにより送信することを特徴とする無線位置検出システム。
【請求項２】
請求項１記載の無線位置検出システムであって、
前記無線基地局と前記無線端末との少なくともいずれかは、前記位置検出用の信号の到達範囲が前記それ以外の信号の到達範囲よりも広くなるように前記送信パラメータを設定することを特徴とする無線位置検出システム。
【請求項３】
請求項１記載の無線位置検出システムであって、
前記無線基地局と前記無線端末との少なくともいずれかは、前記位置検出用の信号を前記それ以外の信号よりも低い通信レートで送信することを特徴とする無線位置検出システム。
【請求項４】
請求項１記載の無線位置検出システムであって、
前記無線基地局と前記無線端末との少なくともいずれかは、前記位置検出用の信号である第１のパケットに、前記それ以外の信号である第２のパケットよりも長いプリアンブルを付して送信することを特徴とする無線位置検出システム。
【請求項５】
請求項１記載の無線位置検出システムであって、
前記無線基地局と前記無線端末との少なくともいずれかは、前記位置検出用以外の信号を、該無線基地局と該無線端末との間の通信に最適な通信スループットとなる送信パラメータを設定することを特徴とする無線位置検出システム。
【請求項６】
請求項１記載の無線位置検出システムであって、
前記無線基地局と前記無線端末は、前記位置検出用の信号として、ユニキャストパケットとそれに対するACK信号、または、RTS信号とそれに対するCTS信号を送受信することを特徴とする無線位置検出システム。
【請求項７】
無線端末の位置検出を行う無線位置検出システムにおける無線基地局であって、
位置検出用の信号を生成する位置検出信号生成部と、
前記位置検出用の信号及びその他の信号の送信パラメータを設定する送信部と、
前記無線端末への信号を送信するアンテナとを有し、
前記送信部は、前記位置検出用の信号とそれ以外の信号とを異なる送信パラメータにより送信することを特徴とする無線基地局。
【請求項８】
請求項７記載の無線基地局であって、
前記送信部は、前記位置検出用の信号の到達範囲が前記それ以外の信号の到達範囲よりも広くなるように前記送信パラメータを設定することを特徴とする無線基地局。
【請求項９】
請求項７記載の無線基地局であって、
前記送信部は、前記位置検出用の信号を前記それ以外の信号よりも低い通信レートで送信することを特徴とする無線基地局。
【請求項１０】
請求項７記載の無線基地局であって、
前記送信部は、前記位置検出用の信号である第１のパケットに、前記それ以外の信号である第２のパケットよりも長いプリアンブルを付して送信することを特徴とする無線基地局。
【請求項１１】
無線端末の位置検出を行う無線位置検出システムにおける無線端末であって、
送信信号生成部と、
前記送信信号生成部により生成された信号のうち、位置検出用の信号及びその他の信号の送信パラメータを設定する送信部と、
無線基地局への信号を送信するアンテナとを有し、
前記送信部は、前記位置検出用の信号とそれ以外の信号とを異なる送信パラメータにより送信することを特徴とする無線端末。
【請求項１２】
請求項１１記載の無線端末であって、
前記送信部は、前記位置検出用の信号の到達範囲が前記それ以外の信号の到達範囲よりも広くなるように前記送信パラメータを設定することを特徴とする無線端末。
【請求項１３】
請求項１１記載の無線端末であって、
前記送信部は、前記位置検出用の信号を前記それ以外の信号よりも低い通信レートで送信することを特徴とする無線端末。
【請求項１４】
請求項１１記載の無線端末であって、
前記送信部は、前記位置検出用の信号である第１のパケットに、前記それ以外の信号である第２のパケットよりも長いプリアンブルを付して送信することを特徴とする無線端末。
【発明の詳細な説明】
【技術分野】
【０００１】
本発明は、無線ＬＡＮによる無線通信システムにおいて、無線により端末の位置を検出するシステムに関する。
【背景技術】
【０００２】
無線システムにおいて、端末の位置を測定する技術が提案されている。例えば、端末から送信される信号を、既知の位置に設置された基地局で受信した時間差を計算し、受信時間差に光速を乗算することによって、端末から各基地局までの信号の伝播距離の差を算出し、端末の位置を検出する方法が提案されている（特許文献１参照）。
【０００３】
【特許文献１】特開２００４−１０１２５４号公報
【発明の開示】
【発明が解決しようとする課題】
【０００４】
IEEE 802.11a/b/gなどの規格である無線ＬＡＮが、安価で設置が容易、しかも免許が不要であるなどの理由により、広く普及している。また、これらの無線ＬＡＮを利用した位置測定システが考えられている。無線LANによる位置検出システムの例としては、特許文献１がある。位置検出システムとして普及しているＧＰＳに比べて、無線ＬＡＮによる位置検出システムは、無線帯域がＧＰＳに比べて広帯域であることから、ＧＰＳよりも高い検出精度を得ることができる、およびＧＰＳの電波の届かない屋内でも位置検出することが可能、という特徴をもつ。
【０００５】
図２は、無線ＬＡＮを利用した位置検出システムの構成の一例である。基地局１、基地局２、基地局３およびサーバ、端末によって構成されている。基地局１〜３（204a〜c）およびサーバは、有線ネットーワークに接続されている。端末は無線により基地局と接続されている。
【０００６】
図１１に、従来の無線ＬＡＮ位置検出システムのフローを示す。端末は、接続可能な、通常は該端末の最寄の、基地局204aを介して、サーバに自機の位置検出を要求する。サーバは、位置検出に用いる無線チャネルの監視を、上記要求を転送した基地局204aと、その周辺の基地局204b〜204cとに対し、指示する。上記監視を指示された各基地局は、それぞれ、サーバに応答を返す。その後、サーバは、上記要求を転送した基地局204aを介して、端末に対し、上記無線チャネル上に第二の無線パケットを送信することを要求する。その際、基地局204aは、上記、無線チャネル上に無線パケットを送信することになる。なお、図面では周辺基地局204b〜204cの２局のみを図示したが、三辺測量の原理により端末の位置を特定するためには、３局以上の周辺基地局を利用するのが望ましい。ここでは、端末と接続される基地局とそれ以外の２局で３局分を確保しているが、端末と接続される基地局以外の３局(以上)を受信タイミングを測定する基地局として用いてもよい。受信タイミング測定に用いることができる基地局が２局以下の場合は、何らかの近似を用いて端末の位置を特定することが必要になる。
【０００７】
これを第一の無線パケットをし、基地局204aはその送信時間を測定する。続いて、該端末は、該無線チャネル上に第二の無線パケットを送信する。上記監視を指示された基地局は、それぞれ、上記パケットの受信タイミングを測定する。各基地局は各無線パケットの受信タイミングあるいは送信タイミングを測定した結果をサーバに伝達する。サーバは、端末から送信される信号を、既知の位置に設置された基地局で受信したタイミングの時間差をもとに端末の位置を計算する。サーバは、計算された位置を端末へ伝達する。
【０００８】
端末の位置算出方法について説明する。まず、数１により、それぞれ基地局204aに対する基地局204b、204cのクロックの誤差Eｂ０＿ｂｉ（ｉ＝１，２）を求める。次に、数２に示す連立方程式（ｉ＝１，２）に上記の求めたクロックの誤差を代入し、端末の位置（Ｘｍ，  Ｙｍ）について解くことにより、位置を求める。ここで、Tp1_b0、Rp2_b0は、基地局204aで測定された第一の無線パケットの送信時間、第二の無線パケットの受信タイミングである。Ｒｐ１＿ｂ１、Ｒｐ２＿ｂ１は、基地局204bで測定された第一、第二の無線パケット受信タイミングである。Ｒｐ１＿ｂ２、Ｒｐ２＿ｂ2は、基地局204cで測定された第一、第二の無線パケット受信タイミングである。（Ｘ０，Ｙ０）、（Ｘ１，Ｙ１）、（Ｘ２，Ｙ２）は、それぞれ基地局204a、204b、204cの位置である。ｃは光速である。
【０００９】
【数１】
2006140752.tif 000003
【００１０】
【数２】
2006140752.tif 000004
【００１１】
一般に普及している無線ＬＡＮシステムでは、端末とその接続先の基地局は、距離や伝播環境に応じて、通信帯域が最も高くなるような、最適な送信パラメータを選択する。送信パラメータとしては、通信レートおよびプリアンブル長がある。例えば、IEEE802.11bの無線ＬＡＮの規格では、通信レートは1M〜11Mbpsが、プリアンブル長は2種類の長さが、選択できる。通信レートは高いほど、またプリアンブルは短いほど、通信スループットは高くなる。しかし、え到達距離は短くなる、という特徴をもつ。
【００１２】
このように、通信レートやパケット長などの送信パラメータは、パケットの到達範囲と密接に関係するが、従来の位置検出システムでは、送信パラメータに対する検討がなされておらず、端末とその最寄の基地局204aとの間の伝搬路状況に応じた送信パラメータが選択されることになる。そのため、後述するような問題が発生する。
【００１３】
図３を用いて、従来の無線ＬＡＮシステムを到達範囲の異なる複数の通信レートを持つシステムに適用した場合の問題点を説明する。例えば、図３のように端末203が基地局204aの近傍にあるとする。ここで、301aは、基地局が送信する最も高速な通信レートの無線信号の到達範囲を示す。また、302aは、端末が送信する最も高速な通信レートの無線信号の到達範囲を示す。位置検出用に利用される基地局204bおよび基地局204cは、高速な通信レートの通信の到達範囲302aおよび302bの圏外である。
【００１４】
無線ＬＡＮを用いた位置検知システムの位置測定原理上の要求から、基地局204aおよび端末203のそれぞれの信号を受信する複数の基地局が必要である。しかし、通常の通信プロトコルに従えば、基地局204aと端末203はお互いに最も高速な通信レートの圏内であるため、高速な通信レートが選択される。すると、位置検出用に設置した基地局204bおよび基地局204cは、それらの高速な通信レートの通信の電波到達圏外にあるため、位置検出に必要な信号の受信に失敗し、位置を検出することができない。
【００１５】
そのため、端末が基地局近傍においても位置を検出するためには、電波の到達範囲が最も狭い、最も高速な通信レートを基準として、その圏内に基地局を複数台、設置しなくてはならない。
上記説明は、通信レートに着目して説明したが、プリアンブル長や送信電力に関しても同様である。すなわち、端末から最寄の基地局204aに最適なプリアンブル長または送信電力で送信される信号は、周辺基地局では十分な品質で受信できない場合がある。
【００１６】
このように、従来では位置検出用のパケットの通信レートなどの送信パラメータを制御する仕組みがなく、複数の通信レートをサポートする無線ＬＡＮを用いた位置検知システムでは基地局の台数が多くなるという問題があった。そこで本発明では、上記問題点に鑑みてなされたもので、所要基地局台数を減らし、システム構築コストを削減することを目的とする。
【課題を解決するための手段】
【００１７】
図３において、301bは、基地局が送信する最も低速な通信レートの無線信号の到達範囲を示す。また、302bは、端末が送信する最も低速な通信レートの無線信号の到達範囲を示す。位置検出用に利用される基地局204bおよび基地局204cは、高速な通信レートの通信の到達範囲302aおよび302bの圏外であるが、最も低速な通信レートの無線信号の到達範囲301bおよび302bの到達範囲内である位置に設置することができる。したがって、基地局204aと端末がお互いに最も低速な通信レートで通信を行った場合、図３の基地局204bおよび204cは301bおよび302bの圏内であるので、信号の受信は成功する。
【００１８】
本発明は、基地局において送信時に信号を識別し、通常のユーザデータである場合には、無線通信の到達範囲を考慮して最適な通信レート、またはオーバヘッドの少ない短いプリアンブル長で送信し、位置検出用信号である場合には、低い通信レートまたは長いプリアンブル長のパラメータで送信することを特徴とする。
【００１９】
また、IEEE802.11の無線ＬＡＮでは、ユニキャストパケットを受信した局がＡＣＫパケットを返信するパケット交換が行われる。このとき、ACKパケットを送信する側は受信したユニキャストパケット同じ通信レートで返信する。本発明では、測定用パケット1および測定用パケット２に、ユニキャストパケットと、上記ユニキャストパケットに対応するACKを用い、ユニキャストパケットを低い通信レートまたは長いプリアンブル長のパラメータで送信することを特徴とする。
【発明の効果】
【００２０】
本発明によれば、低い通信レート、または長いプリアンブル長を用いて位置測定用の信号を送信することにより、通常のデータ通信よりも広い通信領域を実現することができる。そのため、高速な通信レートをサポートする無線ＬＡＮを利用した位置検出システムにおいて所要基地局台数を減らし、システム構築コストを削減することができる。無線信号の距離と減衰量の関係は、自由空間においては距離の２乗の逆数に比例して減衰するという２乗則がある。屋内環境では、反射物など周囲の環境に依存するため影響により２乗則のような厳密な式で表すことは困難であるが、経験的に得られた距離の３乗の逆数に比例して減衰するという３乗則などがある。
【００２１】
仮に３乗則を用いた場合、最低レートと最高レートの最低受信感度の差が９ｄＢであった場合、屋内環境において到達距離の比は２となる。この場合、本発明を利用することにより、位置検出用の基地局間隔を２倍、単位面積あたりの基地局数は１／４に削減することが可能である。
【実施例１】
【００２２】
以下、本発明の一実施形態を添付図面に基づいて説明する。位置検出システム全体の構成は、図２に示す従来のものと同様である。図１に、本発明の無線ＬＡＮ位置検出システムのフローを示す。端末は、接続可能な、通常は該端末の最寄の、基地局204aを介して、サーバ202に自機の位置検出を要求する。サーバ202は、位置検出に用いる無線チャネルの監視を、上記要求を転送した基地局204aと、その周辺の基地局204b〜204cとに対し、指示する。上記監視を指示された各基地局は、それぞれ、サーバ202に監視指示に対する応答を返す。
【００２３】
その後、サーバ202は、上記要求を転送した基地局204aへ測定パケット１を送信することを要求する。基地局204aは、測定用パケット１を生成する。基地局204aは、生成された測定用パケット１を、位置測定用パケットのパラメータ設定をした後、送信する。位置測定用のパラメータ設定としては、到達範囲が長い設定が好ましい。具体的には、IEEE802.11の場合、通信レートは最も低くする、またはプリアンブル長を長い設定とする。一般にIEEE802.11などの無線LANでは送信電力は固定であるが、これをダイナミックに制御できる場合には、送信電力を最大にしてもよい。
【００２４】
測定用パケット１の送信の際、基地局204aは、該測定用パケットの送信タイミングを測定する。測定用パケット１は、該無線チャネルを経由して、端末および周囲の基地局に到着する。測定用パケット１を受信した周辺基地局204b〜204cは、該測定用パケット１の受信タイミングを測定する。
【００２５】
端末は、測定用パケット１の受信後、これに応答して測定用パケット２を生成し、送信パラメータ設定をおこなった後、無線チャネル上に送信する。端末側の送信パラメータ設定は、基地局側と同様に、到達範囲が長い設定が好ましい。
前記監視を指示された基地局は、それぞれ、前記測定用パケット２の受信時間を測定し、各無線パケットの受信時間あるいは送信時間を測定した結果をサーバに伝達する。サーバは、送信時間から位置計算をおこない、結果を端末に伝達する。
【００２６】
送受信の時間差から位置を計算する手法の詳細については、本発明の本質の範疇外であるので説明は省略するが、詳細については本願の出願人による先の出願である特許文献１（特開２００４−１０１２５４号公報）に記載されている。また、それ以外の計算方法であっても、基地局または端末が送信する信号を複数の無線局（位置測定のための通信と通常の通信との両方を行うためのもの）で受信して位置測定に用いるようなシステムであれば、他の計算方法であってもよい。
【００２７】
図４に、本発明の基地局構成の一例を示す。外部IF部400は、基地局とサーバとを接続する外部ネットワークとの通信インタフェースを処理するブロックである。MUX部401は、外部IF部から来た信号を、無線LAN送受信部402か位置検出制御部405に振り分ける、もしくはその逆の働きをするブロックである。無線LAN送受信部402は、無線LANのMAC層および物理層の信号処理をおこなうブロックである。高周波部403は、ベースバンド信号と高周波の無線信号との変換するブロックである。
【００２８】
外部ネットワーク側から端末の向きで通常のユーザデータが送られる場合、基地局内部でのデータの流れは外部IF部400、MUX部401、無線LAN送受信部402、高周波部403、アンテナ404となる。
位置検出制御部401は、サーバとの通信および基地局内部の位置検出に関連するブロックの制御を司るブロックである。サーバから位置測定用パケットの送信要求があった場合、位置検出制御部405は測定用パケット生成部406へはパケットの生成指示と、送受信タイミング測定部407へは送信タイミング測定を、それぞれ指示する。
【００２９】
測定用パケット生成部406は、測定用のパケットを生成し、そのパケットを無線LAN送受信部402へ送る。送られたパケットは、無線LAN送受信部402で変調され、高周波部403にて無線周波数に上げられてアンテナ404から送信される。送受信タイミング測定部407は、無線LAN送受信部402と高周波部403との間の信号を入力とし、送受信タイミングを測定する。
各ブロックの処理は、ハードウエアもしくは、ソフトウエアもしくは、その両方の混在、のいずれにより実現してもよい。
【００３０】
図５に、本発明の無線LAN送受信部402における送信フローを説明する。無線LAN送受信部402に入力されたパケットは、条件分岐501にて、位置測定用パケットか判定される。通常のユーザデータ、つまり位置測定用パケットでない場合には、データ通用のパラメータ設定502がなされる。データ通信用のパラメータ設定では、通信先の端末との電波環境に応じて最適な通信スループットが得られる通信レートおよびプリアンブル長が設定される。また、基地局が送信電力の制御機能を持っている場合には、システムで要求されている送信電力を設定する。
【００３１】
一方、位置測定用パケットの場合では、通信スループットよりも無線信号の到達距離が重要となる。すなわち、位置測定用パラメータ設定504では、到達距離が長くなるパラメータを設定する。具体的には、最低の通信レート、長いプリアンブル長のパラメータで送信する。また、基地局が送信電力の制御機能を持っている場合には、最大の送信電力を設定する。
【００３２】
図６に、本発明における端末の構成例を示す。端末は、ユーザインタフェース600、CPU601、無線LAN送受信部402、高周波部403、アンテナ404、測定用パケット生成部406から構成される。基地局構成におけるブロックと同様の働きをするブロックには同じ符号をつけている。ユーザインタフェースは600は、入力装置や位置情報サービスを出力する表示装置などがこれに相当する。
【００３３】
CPU601は、端末全体の制御を行う。通常のデータ通信の場合、データの経路は、CPU601、無線LAN送受信部402、高周波部403、アンテナ404となる。位置検出測定パケットを受信した場合、CPU601は、位置検出制御部405に指示し、位置測定用パケットを生成する。生成された位置測定用パケットは、無線LAN送受信部402および高周波部403およびアンテナ404を介して送信される。この際、無線LAN送受信部では、図５で説明した送信フローに従う。各ブロックの処理は、ハードウエアもしくは、ソフトウエアもしくは、そららの混在、のいずれにより実現してもよい。
【００３４】
また、測定用パケット生成部602をソフトウエアで実現し、CPU601上で動作するソフトウエアの一つとしてもよい。無線LAN送受信部についても同様である。
測定用パケットとして用いるパケットは、マルチキャストやブロードキャストの信号を用いることができる。特に、測定用パケット１をマルチキャストやブロードキャストの信号とすれば、これに応答して測定用パケット２を送信する複数の端末の位置をあわせて検出することが可能になる。
【実施例２】
【００３５】
以下、本発明の第二の実施形態を添付図面に基づいて説明する。図７に、本発明の無線ＬＡＮ位置検出システムのフローを示す。サーバが、基地局204aへ測定パケット１の送信要求するまでの流れは、実施例１と同じであるので、説明を省略する。
【００３６】
基地局204aは、測定用パケット１を生成する。このときに、基地局204aが生成する測定用パケットは、端末203宛てのユニキャストパケットとする。
基地局204aは、生成された測定用パケット１を、位置測定用パケットのパラメータ設定をした後、送信する。位置測定用のパラメータ設定としては、到達範囲が長い設定が好ましい。具体的には、802.11の場合、通信レートは最も低く、プリアンブル長は長い設定とする。一般に802.11などの無線LANでは送信電力は固定であるが、これをダイナミックに制御できる場合には、電力を最大にしてもよい。
【００３７】
測定用パケット１の送信の際、基地局204aは、該測定用パケットの送信タイミングを測定する。測定用パケット１は、該無線チャネルを経由して、端末および周囲の基地局に到着する。測定用パケット１を受信した周辺基地局204b〜204cは、該測定用パケット１の受信タイミングを測定する。
802.11などの無線ＬＡＮ規格では、データ転送の信頼性を提供するために、確認応答としてACK(Acknowledgment)パケットが用いられる。
【００３８】
端末は、測定用パケット１の受信後、測定用パケット１に対するACKパケットを生成し、送信パラメータ設定をおこなった後、基地局204aに返す。上記ACKパケットが、実施例１の測定用パケット２に相当する。
前記監視を指示された基地局は、それぞれ、前記測定用パケット２の受信時間を測定する。各基地局は各無線パケットの受信タイミングあるいは送信タイミングを測定した結果をサーバに伝達する。
【００３９】
図８に実施例２の端末の構成例を示す。図６と同様の処理を行うブロックには同一の符号をつけた。実施例２では、無線LANに備わっているACKパケットを測定用パケット２として用いるため、図６にあった測定用パケット生成部は不要となる。
【００４０】
図９にユニキャストパケットを受信した局における、無線LAN送受信部におけるACKを送信するのフローについて説明する。物理層受信処理901は、受信されたパケットの物理層の復調を行う。上記物理層受信処理901は、パケット衝突などで正常に受信できなかったパケットを破棄し、正常なパケットのみを上位層へ送る。パケットを正常に受信できた場合、条件分岐902により、上記受信パケットがユニキャストパケットであるかどうかを判定する。もし、上記受信パケットがユニキャストパケットでない場合には、フローは終了する。すわなち、この場合にはACKは送信されない。もし、上記受信パケットがユニキャストパケットである場合には、ACKパケット生成903にて、上記受信パケットの送信元宛てのACKパケットを生成する。
【００４１】
続いて、ACKパケットの送信パラメータ設定904がなされる。ここで、ACKパケットは受信パケットと同じ通信レートかそれより低い通信レートを設定する。また、プリアンブル長に関しても受信パケットと同じ長さで送信されるよう設定する。上記送信パラメータ設定後、ACKパケットは物理層送信処理905によって送信される。IEEE802.11に準拠した端末の位置検出を行う場合では、ACKパケットのフローに関しては上記のような流れとなっているため、上記端末側には特別な回路や機能は不要となる。
【００４２】
また、上記説明ではユニキャストとACKのパケット交換に関して説明したが、同様のパケット交換を位置測定用パケットとして利用してもよい。例えば、RTS(Request To Send)とCTS(Clear To Send)のパケット交換を用いてもよい。
また、上記説明では、基地局がユニキャストパケットを送信し、端末がACKパケットを送信する例を説明したが、基地局204aと端末を入れ替えたパケット交換としてもよい。
【００４３】
図１０を用いて、実施例１および２で用いる位置測定用のパケット信号の構造を説明する。IEEE802.11に準拠したパケットは、プリアンブル及び制御情報を含むヘッダ部と、アドレス情報、通信データ、および誤り検出符号（Frame Check Sequence）を含むボディ部からなる。プリアンブルは、パケットを受信した通信装置が同期処理を行うために用いられ、伝搬路状況などに応じてプリアンブル長が選択できるようになっている。本発明では、端末から最寄の基地局との通信に必要なプリアンブル長よりも長いプリアンブル長を用いる。または、端末から最寄の基地局との通信に必要な通信レートよりも低い通信レートになるように、ボディ部の変調方式を設定する。ヘッダ部には、ボディ部の変調方式を示す制御情報が含まれ、受信装置はヘッダの制御情報を用いてボディ部の復調を行う。
【００４４】
上記では、パケットの受信タイミングを用いて位置検出を行うしシステムを前提として説明したが、そのほかのシステム、例えば端末からの信号の受信電力を用いるようなシステムであってもよい。このようなシステムにおいても受信された信号が確かに位置測定用の信号であることを確認するために、パケットを正しく受信できることが必要だからである。通信システムも、無線ＬＡＮのIEEE802.11に制限されるわけではなく、通信レート、プリアンブル長、送信電力など、信号伝搬範囲を決定する送信パラメータを伝搬路状況に応じて制御する、他の通信システムであってもよい。また、通信レートを最も低くしたり、プリアンブル長を最も長くする以外であっても、最寄の基地局にあわせた送信パラメータ以外のパラメータをあえて選択し、到達範囲を長くするような設定にするものであれば、本発明の範疇に含まれる。例えば、通信レートも最低の値にする必然性はない。
【産業上の利用可能性】
【００４５】
以上のように本発明では、複数の通信レートをサポートする高速無線LANを応用した位置検出システムにおいて、所要設置基地局台数を減らすことでき、システムコストを下げることができる。無線LANによる位置検出システムは、GPSの電波が届かない屋内環境や、GPSよりも高精度で位置を検出できるため、物流倉庫などの物品管理の用途などに適用することが考えられる。
【図面の簡単な説明】
【００４６】
【図１】本発明の第一の実施例におけるシステムフローを示す図である。
【図２】無線ＬＡＮによる位置検出システムの一例を示す図である。
【図３】複数の通信レートを有す無線ＬＡＮ位置検出システムにおける基地局間隔について説明する図である。
【図４】本発明の図１の基地局における構成例を示す図である。
【図５】本発明の図４の無線LAN送受信部における送信時のフローを示す図である。
【図６】本発明の図１の端末における構成例を示す図である。
【図７】本発明の第二の実施例におけるシステムフローを示す図である。
【図８】図７における端末の構成例を示す図である。
【図９】無線ＬＡＮのＡＣＫを送信するフローを説明する図である。
【図１０】本発明で用いる測定用パケットの構造を説明する図である。
【図１１】従来のシステムフローを示す図である。
【符号の説明】
【００４７】
２０１  有線ネットワーク、２０２  サーバ、２０３  端末、２０４  基地局、
３０１  基地局の電波到達範囲、３０２  端末の電波到達範囲、
４００  外部IF部、４０１  MUX部、４０２  無線LAN送受信部、４０３  高周波部、４０４  アンテナ、４０５  位置検出制御部、４０６  測定用パケット生成部、４０７  送受信時間測定部、
５０１  位置測定用パケット判定部、５０２  データ通信用パラメータ設定、５０３  物理層送信処理、５０４  位置測定用パラメータ設定、
６００  ユーザインタフェース、６０１  ＣＰＵ。
【図１】
2006140752.tif 000005
【図２】
2006140752.tif 000006
【図３】
2006140752.tif 000007
【図４】
2006140752.tif 000008
【図５】
2006140752.tif 000009
【図６】
2006140752.tif 000010
【図７】
2006140752.tif 000011
【図８】
2006140752.tif 000012
【図９】
2006140752.tif 000013
【図１０】
2006140752.tif 000014
【図１１】
2006140752.tif 000015